(57)【要約】【課題】様々な体格の高齢者等に適合し、高齢者等の立ち上がりや昇り降り動作を補助できる手摺の手掛け具を提供する。【解決手段】手のひらに対応した球状等の三次元曲面をなす手掛け面１を外周に形成し、手摺の握り棒２０をくわえ込む抱持部２を内周に形成して、握り棒２０に取り付けた状態で、手掛け面１が握り棒２０の外周面から膨出するようにし、抱持部２により手摺の握り棒２０をくわえ込んだ状態で、握り棒２０の軸線方向に移動でき、任意の位置で固定できるようにする。握り棒２０の適当な位置に取り付けておくと、高齢者等は、手掛け面１を手のひらで包み込むように手掛け面１に手を掛けて、手繰るように体を引き寄せることにより、容易に立ち上がったりかがんだり、階段を昇り降りしたりすることができる。【選択図】図１
2011038353.tif 000002
【特許請求の範囲】
【請求項１】
手のひらに対応した三次元曲面をなす手掛け面を外周に形成し、手摺の握り棒をくわえ込む抱持部を内周に形成して、握り棒に取り付けた状態で、手掛け面が握り棒の外周面から膨出するようにした手摺の手掛け具。
【請求項２】
前記抱持部により手摺の握り棒をくわえ込んだ状態で、握り棒の軸線方向に移動でき、任意の位置で固定できるようにした請求項１に記載の手摺の手掛け具。
【請求項３】
前記手掛け面を球状としたことを特徴とする請求項１又は２に記載の手摺の手掛け具。
【請求項４】
前記手掛け面を頂部の丸い円錐面状としたことを特徴とする請求項１又は２に記載の手摺の手掛け具。
【発明の詳細な説明】
【技術分野】
【０００１】
この発明は、トイレや浴室、階段等に設置される手摺に、高齢者等の補助用として取り付ける手掛け具に関するものである。
【背景技術】
【０００２】
近年、高齢化社会の進展に伴い、バリアフリー化対策として、トイレや浴室、階段等に手摺を設置しておき、高齢者や体の不自由な者が手摺につかまって、立ち上がったりかがんだり、階段を昇り降りしたりできるようにすることが一般化している。
【０００３】
このような目的で設置される手摺として、下記特許文献１には、図１４に示すように、水平部分５１と立上部分５２とを湾曲部分５３を介して交互に連設し、高さが段階的に変化するようにしたものが記載されている。
【０００４】
この手摺が設置されたトイレにおいて、便器に腰掛けた状態から立ち上がるには、立上部分５２を握って、体を引き寄せつつ、腰を浮かせるようにする。
【先行技術文献】
【特許文献】
【０００５】
【特許文献１】特許第３６６０２９２号公報
【発明の概要】
【発明が解決しようとする課題】
【０００６】
しかしながら、高齢者等の体格は様々であることから、図１４に示すような手摺では、立上部分５２が各々の高齢者等に適した位置にならないことが多く、実用性に乏しいという問題があった。
【０００７】
そこで、この発明は、様々な体格の高齢者等に適合し、高齢者等の立ち上がりや昇り降り動作を補助できる器具を提供しようとするものである。
【課題を解決するための手段】
【０００８】
上記のような課題を解決するため、この発明に係る手摺の手掛け具は、球状や頂部が丸い円錐面状の三次元曲面をなす手のひらに対応した手掛け面を外周に形成し、手摺の握り棒をくわえ込む抱持部を内周に形成して、握り棒に取り付けた状態で、手掛け面が握り棒の外周面から膨出するようにし、前記抱持部により手摺の握り棒をくわえ込んだ状態で、握り棒の軸線方向に移動でき、任意の位置で固定できるようにしたのである。
【発明の効果】
【０００９】
この発明に係る手摺の手掛け具では、手摺の握り棒の適当な位置に取り付けておくと、高齢者等は、手掛け面を手のひらで包み込むように手掛け面に手を掛けて、手繰るように体を引き寄せることにより、容易に立ち上がったりかがんだり、階段を昇り降りしたりすることができる。
【００１０】
また、高齢者等の体格に応じて、握り棒の軸線方向における取付位置を、力が最も入りやすい最適な位置に簡単に調整することができる。
【００１１】
また、手掛け面を球状や頂部の丸い円錐面状としたことにより、手のひらに馴染み、良好な手当たり感を得ることができる。
【図面の簡単な説明】
【００１２】
【図１】この発明の第１実施形態に係る手掛け具を一方向から見た斜視図
【図２】同上の他方向から見た斜視図
【図３】同上の正投影法による各方向の投影図及び断面図
【図４】同上の手掛け具の分解斜視図
【図５】同上の使用状態の一例を示す斜視図
【図６】同上の使用状態の他例を示す斜視図
【図７】この発明の第２実施形態に係る手掛け具を一方向から見た斜視図
【図８】同上の他方向から見た斜視図
【図９】同上の正投影法による各方向の投影図及び断面図
【図１０】同上の手掛け具の分解斜視図
【図１１】この発明の第３実施形態に係る手掛け具を一方向から見た斜視図
【図１２】同上の他方向から見た斜視図
【図１３】同上の正投影法による各方向の投影図及び断面図
【図１４】従来の高齢者等補助用の手摺を示す斜視図
【発明を実施するための形態】
【００１３】
まず、この発明の第１実施形態を図１乃至図６に基づいて説明する。
【００１４】
図１乃至図３に示すように、この手掛け具Ｇは、手のひらに対応した球状の三次元曲面をなす手掛け面１を外周に形成し、手摺の握り棒２０をくわえ込む抱持部２を内周に形成したものであり、図４に示すように、同一形状の２個の構成体３を対向させて突き合わせた構成とされている。
【００１５】
各構成体３は、他方の構成体３と対向する径面に、抱持部２の半分を形成する抱持溝４を形成し、その両端を半円形に開口させ、抱持溝４の一側に凸部５を、他側に凹部６をそれぞれ設け、内面に肉抜部や補強部を設けたものとされている。
【００１６】
各構成体３の凸部５側には、径面から周壁の途中までねじ穴７が設けられ、凹部６側には、手掛け面１から径面へ貫通する貫穴８が設けられている。手掛け面１において、貫穴８の周囲には、座ぐり部９が形成されている。
【００１７】
このような手掛け具Ｇを、握り棒２０に取り付けるには、２個の構成体３を、凸部５と凹部６とが対応するように向き合わせ、抱持溝４に握り棒２０の外周面を嵌め込み、一方の構成体３の貫穴８を介し他方の構成体３のねじ穴７に締付ねじ１０をねじ込む。
【００１８】
そして、締付ねじ１０の締め付けに伴い、構成体３同士を接近させて、握り棒２０を抱持する。この取付状態において、手掛け具Ｇの手掛け面１は、握り棒２０の外周面から膨出した状態となる。
【００１９】
上記のような手掛け具Ｇは、例えば、図５に示すように、握り棒２０の両端部がエルボ型のブラケット２１で支持されたトイレ等の手摺や、図６に示すように、長い握り棒２０が多数の受型のブラケット２２で支持された階段等の手摺において、握り棒２０の適当な位置に取り付けておく。
【００２０】
このように手掛け具Ｇを取り付けておくと、高齢者等は、手掛け面１を手のひらで包み込むように手掛け面１に手を掛けて、手繰るように体を引き寄せることにより、容易に立ち上がったりかがんだり、階段を昇り降りしたりすることができるので、足腰への負担が軽くなり、転倒等の危険を防止することができる。
【００２１】
また、この手掛け具Ｇでは、手掛け面１が球状となっているので、手のひらに馴染み、良好な手当たり感を得ることができる。
【００２２】
さらに、高齢者等の体格に応じて、握り棒２０の軸線方向における取付位置を適宜移動させて、力が最も入りやすい最適な位置に簡単に調整することができる。
【００２３】
そのほか、この手掛け具Ｇは、同一形状の２個の構成体３から構成しているので、低コストで製造することができ、新設する手摺だけでなく、既存の手摺に容易に取り付けることができる。
【００２４】
なお、手掛け面１の球状には、図示のような真球状のほか、楕円球状等の変形球状を含むものとする。
【００２５】
次に、この発明の第２実施形態を図７乃至図１０に基づいて説明する。
【００２６】
この手掛け具Ｇは、手掛け面１を頂部が丸い円錐面状とした構成体１１と、手掛け面１を半球面状とした構成体１２とから成り、これらを対向させて突き合わせた構成とされ、構成体１１，１２の手掛け面１は、手のひらに対応した三次元曲面となっている。
【００２７】
各構成体１１，１２の対向する径面には、抱持部２の半分を形成する抱持溝４が形成され、その両端が半円形に開口し、構成体１２の抱持溝４の両側には凸部５が、構成体１１の抱持溝４の両側には凹部６がそれぞれ設けられている。
【００２８】
構成体１１には、凹部６の径面から周壁の途中までねじ穴７が設けられ、構成体１２には、手掛け面１から凸部５の径面へ貫通する貫穴８が設けられている。構成体１２の手掛け面１において、貫穴８の周囲には、座ぐり部９が形成されている。
【００２９】
このような手掛け具Ｇを、握り棒２０に取り付けるには、構成体１１，１２を、凸部５と凹部６とが対応するように向き合わせ、抱持溝４に握り棒２０の外周面を嵌め込み、構成体１２の貫穴８を介し構成体１１のねじ穴７に締付ねじ１０をねじ込む。
【００３０】
そして、締付ねじ１０の締め付けに伴い、構成体１１，１２を接近させて、握り棒２０を抱持する。この取付状態において、手掛け具Ｇの手掛け面１は、構成体１１側が構成体１２側よりも大きく握り棒２０の外周面から膨出した状態となる。
【００３１】
このような手掛け具Ｇを、トイレや階段等の手摺において、握り棒２０の適当な位置に取り付けておくと、高齢者等は、構成体１１の大きく膨出した円錐状の手掛け面１に手を掛け、手掛け面１を手のひらで包み込むように握って、手繰るように体を引き寄せることにより、容易に立ち上がったりかがんだり、階段を昇り降りしたりすることができる。
【００３２】
また、この手掛け具Ｇでは、構成体１１，１２のいずれの手掛け面１も三次元曲面となっているので、手のひらに馴染み、良好な手当たり感を得ることができる。
【００３３】
また、この手掛け具Ｇは、構成体１１，１２で握り棒２０をくわえ込むので、上記第１実施形態のものと同様に、新設する手摺だけでなく、既存の手摺にも容易に取り付けることができる。
【００３４】
ここで、上記第１及び第２実施形態において、手掛け具Ｇの材料には、プラスチックのほか、真鍮等の金属を使用することにより、質感や耐久性を高めることもできる。
【００３５】
また、上記第１及び第２実施形態では、握り棒２０の軸線方向に沿って２個の構成体３又は１１，１２に分割されたものを例示したが、握り棒２０の軸線方向に直交する方向に沿って２個の構成体に分割し、手摺への取り付けに際し、これらを結合して、ねじ止めにより握り棒２０に固定するようにしてもよい。
【００３６】
次に、この発明の第３実施形態を図１１乃至図１３に基づいて説明する。
【００３７】
この手掛け具Ｇは、手のひらに対応した球状の三次元曲面をなす手掛け面１を外周に形成し、手摺の握り棒２０をくわえ込む抱持部２を内周に形成したものであり、一箇所が切断部１３で切断された可撓性を有する１個の環状部材から構成されている。
【００３８】
切断部１３の一側には凸部５が、他側には凹部６がそれぞれ設けられ、凸部５側には、切断面から周壁の途中までねじ穴７が設けられ、凹部６側には、手掛け面１から径面へ貫通する貫穴８が設けられている。手掛け面１において、貫穴８の周囲には、座ぐり部９が形成されている。
【００３９】
ここで、この実施形態において、手掛け具Ｇの材料には、シリコーンを主成分とするプラスチック等、弾性限度の大きいプラスチックを使用する。
【００４０】
このような手掛け具Ｇを、握り棒２０に取り付けるには、切断部１３を押し広げ、切断部１３を介して抱持部２の内側に握り棒２０を挿入し、弾性による復元に伴い、切断部１３を縮閉させ、凸部５を凹部６に嵌め込んだ状態で、貫穴８を介しねじ穴７に締付ねじ１０をねじ込む。
【００４１】
そして、締付ねじ１０の締め付けに伴い、凸部５を凹部６の奥へ進入させ、切断部１３を縮小させて、握り棒２０を抱持する。この取付状態において、手掛け具Ｇの手掛け面１は、握り棒２０の外周面から膨出した状態となる。
【００４２】
このような手掛け具Ｇを、トイレや階段等の手摺において、握り棒２０の適当な位置に取り付けておくと、高齢者等は、手掛け面１を手のひらで包み込むように手掛け面１に手を掛けて、手繰るように体を引き寄せることにより、容易に立ち上がったりかがんだり、階段を昇り降りしたりすることができる。
【００４３】
また、この手掛け具Ｇでは、上記第１実施形態のものと同様、手掛け面１が球状となっているので、手のひらに馴染み、良好な手当たり感を得ることができる。
【００４４】
さらに、高齢者等の体格に応じて、握り棒２０の軸線方向における取付位置を適宜移動させて、力が最も入りやすい最適な位置に簡単に調整することができる。
【００４５】
そのほか、この手掛け具Ｇは、１個の部材から構成しているので、低コストで製造することができる。
【００４６】
なお、上記各実施形態では、手掛け面１を球状又は頂部の丸い円錐面状としたものを例示したが、手掛け面１は、手のひらに対応した三次元曲面をなすものであれば、一部分に平面を有する形状等、他の形状であってもよい。
【符号の説明】
【００４７】
１  手掛け面
２  抱持部
３  構成体
４  抱持溝
５  凸部
６  凹部
７  ねじ穴
８  貫穴
９  座ぐり部
１０  締付ねじ
１１，１２  構成体
１３  切断部
２０  握り棒
２１，２２  ブラケット
【図１】
2011038353.tif 000003
【図２】
2011038353.tif 000004
【図３】
2011038353.tif 000005
【図４】
2011038353.tif 000006
【図５】
2011038353.tif 000007
【図６】
2011038353.tif 000008
【図７】
2011038353.tif 000009
【図８】
2011038353.tif 000010
【図９】
2011038353.tif 000011
【図１０】
2011038353.tif 000012
【図１１】
2011038353.tif 000013
【図１２】
2011038353.tif 000014
【図１３】
2011038353.tif 000015
【図１４】
2011038353.tif 000016